(57)【要約】【課題】傷の防止効果があり、作業効率が良く、低コストで対応が可能であること。【解決手段】コーン１は、内輪２と、当該内輪に装着した転動体の円錐ころ３と、当該円錐ころを保持するための保持器４とからなる。カップ５は、外輪６からなる。コーン１とカップ５とを、それぞれ、被覆材２１，２２（ビニール）により被覆し、その間に、緩衝材２０（クラフト紙）が介装してある。【選択図】図１
2008025738.tif 000002
【特許請求の範囲】
【請求項１】
コーンは、内輪と、当該内輪に装着した転動体と、当該転動体を保持するための保持器とからなり、カップは、外輪からなる軸受の梱包方法に於いて、
前記コーンと前記カップとを、それぞれ、被覆材により被覆し、その間に、緩衝材を介装したことを特徴とする軸受の梱包方法。
【請求項２】
前記被覆材は、ビニールであり、前記緩衝材は、クラフト紙であることを特徴とする請求項１に記載の軸受の梱包方法。
【請求項３】
コーンは、内輪と、当該内輪に装着した転動体と、当該転動体を保持するための保持器とからなり、カップは、外輪からなる軸受の梱包方法に於いて、
前記カップを被覆材により被覆し、当該被覆したカップと前記コーンとの間に緩衝材を介装して組付け、これら全体を全体的被覆材により被覆したことを特徴とする軸受の梱包方法。
【請求項４】
前記緩衝材は、クラフト紙であることを特徴とする請求項３に記載の軸受の梱包方法。
【請求項５】
前記カップと前記コーンとの間に、前記クラフト紙の緩衝材に加えて、合成樹脂製シートが介装してあることを特徴とする請求項４に記載の軸受の梱包方法。
【請求項６】
前記被覆材と前記全体的被覆材は、ＶＣＩ紙であることを特徴とする請求項３乃至５のいずれか一項に記載の軸受の梱包方法。
【請求項７】
円錐状内周面を有する外輪からなるカップと、
前記外輪と共に円錐ころ軸受を形成するための円錐状外周面を有する内輪と該外周面に保持器を介して保持された転動体とからなるコーンと、
前記カップと前記コーンとをそれぞれ被覆する被覆材とからなり、
前記被覆材により被覆されたカップとコーンとを、間に緩衝材を挟んで嵌合し組み立てたことを特徴とする軸受梱包体。
【請求項８】
円錐状内周面を有する外輪をテープ状被覆材により巻き付け形成した被覆カップ体と、
前記外輪と共に円錐ころ軸受を形成するための円錐状外周面を有する内輪と該外周面に保持器を介して保持された転動体とからなるコーンとを有し、
前記被覆カップ体は前記コーンに緩衝材を介して外嵌されており、該被覆カップ体および該コーンをテープ状被覆材でドーナツ状に巻いたことを特徴とする軸受梱包体。
【発明の詳細な説明】
【技術分野】
【０００１】
本発明は、例えば、円錐ころ軸受の輸送時に、カップの軌道面とコーンの転動面に発生する傷を防止することができる軸受の梱包方法および梱包体に関する。
【背景技術】
【０００２】
例えば、円錐ころ軸受では、輸送時に振動や衝撃が加わると、梱包された状態でも、その梱包仕様によっては、外・内輪の軌道面、及び、転動体の表面に、傷が発生することがある。
【０００３】
また、振動や衝撃の大きさや性質によっては、フォールスブリネリングやフレッチングといった損傷状態を生起する場合もある。
【０００４】
一般的には、これら損傷の発生を防止することが必要な場合には、下記のような対策がよく実施される。
【０００５】
図４は、第１従来例に係る円錐ころ軸受の梱包状態の断面図である。
【０００６】
コーン１は、内輪２と、当該内輪に装着した転動体の円錐ころ３と、当該円錐ころを保持するための保持器４とからなる。カップ５は、外輪６からなる。
【０００７】
コーン１の円錐ころ３の転動面と、カップ５の外輪６の軌道面との間に、緩衝材１０が介装してある。当該緩衝材１０は、第１従来例では、ビニール、ゴムシート等である。
【０００８】
図５は、第２従来例に係る円錐ころ軸受の梱包状態の断面図である。
【０００９】
コーン１は、内輪２と、円錐ころ３と、保持器４とからなり、カップ５は、外輪６からなる。コーン１と、カップ５とは、分離して、それぞれ別々に梱包してある。
【００１０】
図６は、第３従来例に係る円錐ころ軸受の梱包状態の断面図である。
【００１１】
コーン１は、内輪２と、円錐ころ３と、保持器４とからなり、カップ５は、外輪６からなる。
【００１２】
円周の数ケ所、又は全周に、ゴム、紙、ビニール、ワイヤー等（１１）を巻き、円錐ころ３、外輪６、内輪２を動かないように固定して梱包する（場合によっては、緩衝材も入れてある。）。
【発明の開示】
【発明が解決しようとする課題】
【００１３】
しかしながら、上記図４乃至図６に示した梱包方法では、次のような問題がある。
【００１４】
１）図５及び図６の梱包方法では、傷の防止効果はあるが、梱包に多くのコストが発生してしまう。
２）図５及び図６の梱包方法では、梱包工程が多いため、作業工程が増えてしまう。
３）図４及び図６の梱包方法では、緩衝材の耐久性が低く、振動や衝撃の大きさや質によっては、緩衝材が破断して傷が発生してしまう。
【００１５】
一般的には、上記図５及び図６の梱包方法は、傷の防止対策としての効果は大きいが、梱包作業の効率を下げてしまい、梱包にも多くのコストが発生してしまうデメリットがある。
【００１６】
また、図４の梱包方法については、緩衝材として、耐久性のあるもの、耐油性のあるもの、軸受に錆の影響を与えないもの、低コストなものなどを満足するものが要求されるが、すべてを満足させることは大変難しい。
【００１７】
本発明は、上述したような事情に鑑みてなされたものであって、傷の防止効果があり、作業効率が良く、低コストで対応が可能である、軸受の梱包方法を提供することを目的とする。
【課題を解決するための手段】
【００１８】
上記の目的を達成するため、本発明に係る軸受の梱包方法は、コーンは、内輪と、当該内輪に装着した転動体と、当該転動体を保持するための保持器とからなり、カップは、外輪からなる軸受の梱包方法に於いて、
前記コーンと前記カップとを、それぞれ、被覆材により被覆し、その間に、緩衝材を介装したことを特徴とする。
【００１９】
また、本発明に係る軸受の梱包方法は、コーンは、内輪と、当該内輪に装着した転動体と、当該転動体を保持するための保持器とからなり、カップは、外輪からなる軸受の梱包方法に於いて、
前記カップを被覆材により被覆し、当該被覆したカップと前記コーンとの間に緩衝材を介装し、これら全体を全体的被覆材により被覆したことを特徴とする。
【発明の効果】
【００２０】
本発明によれば、傷の防止効果があり、作業効率が良く、低コストで対応が可能であり、また、衝撃や振動に強い緩衝材の機能が低コストで実現でき、しかも、複雑な形状にも対応できる。
【発明を実施するための最良の形態】
【００２１】
以下、本発明の実施の形態に係る軸受の梱包方法を図面を参照しつつ説明する。
【００２２】
（第１実施の形態）
図１は、本発明の第１実施の形態に係る円錐ころ軸受の梱包状態の断面図である。
【００２３】
コーン１は、内輪２と、当該内輪に装着した転動体の円錐ころ３と、当該円錐ころを保持するための保持器４とからなる。カップ５は、外輪６からなる。
【００２４】
コーン１とカップ５との被覆は、例えばコーン１とカップ５とをそっくり入れるに十分な大きさのビニール製の袋２１，２２をそれぞれ準備し、これらの袋の中にコーン１およびカップ５のそれぞれを入れて袋開口側の余り部分をコーン１およびカップ５の中央の開口部にそれぞれ押し込めば良い。
【００２５】
次いで、被覆材２１で被覆したコーン１を被覆材２２で被覆したカップ５に嵌め込み挿入する。
【００２６】
その際、又は挿入前に両者間に緩衝材２０を介装し、両者間に挟み込むようにする。緩衝材２０は、介装した時にカップ５の軌道面とコーン１の転動面とが直接接触することのないような径方向幅を有するクラフト紙製の環状板部材とすると良い。
【００２７】
本実施の形態においては、緩衝材２０とカップ５、コーン１とは、互いに直接接触しないように間にビニールや紙等の被覆材２１，２２が入るような構造としている。
【００２８】
このような構造にすることで、緩衝材２０が防錆油を吸ったり、緩衝材２０と防錆油との間で化学反応等が発生したりすることを防ぎ、緩衝材２０としての機能低下を防ぐことができる。また、作業者から付着した塩化ナトリウムＮａＣｌ等の影響により緩衝材２０表面上に錆が発生するのを防止することができる。さらに、緩衝材２０に付着した異物の軸受への混入を防止することができる。
【００２９】
次に、緩衝材について、緩衝材には、低コストで耐油性のあるビニールやゴムシート等が使用される従来例が多く見られるが、振動や衝撃の大きさによっては、接触部の面圧に耐えられずに破断してしまうことも多い。
【００３０】
そこで、本実施の形態では、緩衝材２０に、低コストでより耐久性のあるクラフト紙を使用する。クラフト紙を使用することで、ビニールやゴムシート等よりも、衝撃や振動に強い緩衝材２０の機能が低コストで実現できる。また、複雑な形状にも対応でき、作業性の良い形状の加工が可能である。さらに、緩衝材２０の廃却も、意匠箱等と同じで済ますことができる。
【００３１】
本実施の形態では、以上のように構成してあることから、下記の効果が期待できる。
【００３２】
ビニールやゴムシート等を緩衝材として使用している従来例の傷防止対策に比べて、より衝撃や振動に強い梱包仕様が低コストで実現できる。また、従来例の方法と同等のレベルの錆防止効果がある。さらに、緩衝材２０に意匠箱と同類のクラフト紙を使用しているため、意匠箱と同じ廃却方法が可能であり、特殊な廃却方法は必要ない。さらに、図６の第３従来例と比較し、簡易な作業工程で梱包ができる。
【００３３】
また、緩衝材２０について、緩衝材２０に使用するクラフト紙の実例としては、以下のようなものがある。
【００３４】
厚さは、５００ｇ／ｍ２、７００ｇ／ｍ２  である。数字が大きいほど厚くなる。軸受名番及び衝撃、振動により適した厚みを選択する。
【００３５】
クラフト紙の種類は、例えば、コートボール紙、シルバーＯＸ紙（耐油性のコーティングを施したもの）である。
【００３６】
（第２実施の形態）
図２は本発明の第２実施の形態に係る円錐ころ軸受の梱包作業時の断面図、図３は第２実施の形態に係る円錐ころ軸受の梱包状態の断面図である。
【００３７】
コーン１は、内輪２と、当該内輪に装着した転動体の円錐ころ３と、当該円錐ころを保持するための保持器４とからなる。カップ５は、外輪６からなる。
【００３８】
本実施の形態では、外輪６で形成される環状のカップ５をテープ状のＶＣＩ紙からなる被覆材３１により巻いて被覆カップ体を作る。
【００３９】
一方、内輪２と、この内輪２に保持器４を介して装着された転動体としての円錐ころ３とからなる組立体であるコーン１を、作業台上に下拡がりに載置し、このコーン１にポリエチレンもしくはビニール等合成樹脂製シート３０を上から被せる。合成樹脂製シート３０はコーン１を包囲するに十分な大きさを有している。
【００４０】
次いで、作業台上に載置されたコーン１の環状上端面を覆うに十分な大きさの環状板部材である緩衝材２０を、前記合成樹脂製シート３０の上からコーン１の環状上端面を覆うように被せる。
【００４１】
このようにして準備された合成樹脂製シート・緩衝材被せ体上に、前述したテープ状被覆材を巻いた被覆カップ体を、上方から外嵌する。
【００４２】
合成樹脂製シート３０と環状の緩衝材２０とは径方向でカップ５とコーン１との間に介装された状態となる。この状態で、先にコーン１に被せられた合成樹脂製シート３０はコーン１の中央開口上部を覆い、この中央開口上部で張設状態にあるので、その張設状態部に例えば十字状に切り込みを入れる。
【００４３】
このようにして、コーン１とＶＣＩ紙の被覆材３１を巻いた外輪６からなるカップ５との間に合成樹脂製シート３０と緩衝材２０を挟んだ状態の組立体を作り、次いでこの組立体全体にテープ状ＶＣＩ紙である全体的被覆材３２をドーナツ状に巻き付けて軸受梱包体を完成する。
【００４４】
緩衝材２０は、第１実施の形態と同様にクラフト紙であり、被覆材３１と全体的被覆材３２は、ＶＣＩ紙すなわち気化性防錆紙である。本実施の形態では、コーン１と緩衝材２０との間にさらに合成樹脂製シート３０が緩衝材的に介装してある。
【００４５】
以上から、本実施の形態に於いても、緩衝材２０が防錆油を吸ったり、緩衝材２０と防錆油との間で化学反応等が発生したりすることを防ぎ、緩衝材２０としての機能低下を防ぐことができる。また、作業者から付着した塩化ナトリウムＮａＣｌ等の影響により緩衝材２０表面上に錆が発生するのを防止することができる。さらに、緩衝材２０に付着した異物の軸受への混入を防止することができる。
【００４６】
また、本実施の形態に於いても、緩衝材２０に、低コストでより耐久性のあるクラフト紙を使用することで、ビニールやゴムシート等よりも、衝撃や振動に強い緩衝材２０の機能が低コストで実現できる。また、複雑な形状にも対応でき、作業性の良い形状の加工が可能である。さらに、緩衝材２０の廃却も、意匠箱等と同じで済ますことができる。
【００４７】
その他の構成、作用、及び効果は、上述した実施の形態と同様である。
【００４８】
なお、本発明は、上述した実施の形態に限定されず、種々変形可能である。
【図面の簡単な説明】
【００４９】
【図１】本発明の第１実施の形態に係る円錐ころ軸受の梱包状態の断面図である。
【図２】本発明の第２実施の形態に係る円錐ころ軸受の梱包作業時の断面図である。
【図３】本発明の第２実施の形態に係る円錐ころ軸受の梱包状態の断面図である。
【図４】第１従来例に係る円錐ころ軸受の梱包状態の断面図である。
【図５】第２従来例に係る円錐ころ軸受の梱包状態の断面図である。
【図６】第３従来例に係る円錐ころ軸受の梱包状態の断面図である。
【符号の説明】
【００５０】
１  コーン
２  内輪
３  円錐ころ（転動体）
４  保持器
５  カップ
６  外輪
１０  緩衝材
１１  ゴム、紙、ビニール、ワイヤー等
２０  緩衝材（クラフト紙）
２１，２２  被覆材（ビニール等）
３０  合成樹脂製シート
３１  被覆材（ＶＣＩ紙）
３２  全体的被覆材（ＶＣＩ紙）
【図１】
2008025738.tif 000003
【図２】
2008025738.tif 000004
【図３】
2008025738.tif 000005
【図４】
2008025738.tif 000006
【図５】
2008025738.tif 000007
【図６】
2008025738.tif 000008